(57)【特許請求の範囲】
【請求項１】
筒状に形成された筒状筐体と、前記筒状筐体の２つの対面のうちの一方の対面側に設けられて入力される信号に基づいて前記２つの対面のうちの他方の対面に向けて所定周波数の振動を発生する振動発生部と、を有し、前記振動発生部により発生された低周波振動を前記他方の対面側にある人体の肌まで伝達させると共に、前記肌の５０Ｈｚ以下の振動により前記筒状筐体内の空気が振動するヘッド部と、
前記筒状筐体内の空気圧を伝達する空気圧伝達部材と、
前記空気圧伝達部材により伝達された空気圧に応じた信号を検出する信号検出部と、
前記信号検出部により検出された信号を増幅して、増幅済みの信号を前記振動発生部へ出力することで正帰還ループを形成する信号増幅部と、
前記筒状筐体の前記他方の対面側に着脱可能に設けられ、前記筒状筐体の前記他方の対面側に装着されたときに、前記ヘッド部と前記肌とが非接触の状態で、前記振動発生部により発生された低周波振動を前記肌に伝達するアタッチメント部材と、を備え、
前記ヘッド部は、前記筒状筐体の前記振動発生部側に外気から遮断された内部空気室が形成されるように、前記筒状筐体の内部空間を２つに分割する分割部材を更に有する
マッサージ装置。
【請求項２】
前記分割部材は、シリコン状防水膜である
請求項１に記載のマッサージ装置。
【請求項３】
前記空気圧伝達部材は、乾燥剤が入れられた袋状部材を有する
請求項１に記載のマッサージ装置。
【発明の詳細な説明】
【技術分野】
【０００１】
本発明は、マッサージ装置に関する。
【背景技術】
【０００２】
従来、肌に超音波を与えてマッサージを行う超音波美容器が開示されている（特許文献１参照）。特許文献１の超音波美容器は、一の面が肌接触面となる金属部およびこの金属部の他の面に接着される圧電素子を有するプローブと、圧電素子を超音波振動させるための高周波電力を供給する発振駆動回路と、圧電素子への供給電力の変動の検出を行う検出回路と、その検出結果に応じて圧電素子に対する出力が一定となるように発振駆動回路の出力制御を行う制御回路と、を備えている。
【０００３】
このような構成の超音波美容器は、金属部からの音響出力をほぼ一定にして、一定の音響出力による好適なマッサージ効果を得ることができる。
【先行技術文献】
【特許文献】
【０００４】
【特許文献１】特開２０００−３３４０１９号公報
【発明の概要】
【発明が解決しようとする課題】
【０００５】
しかし、特許文献１の超音波美容器は、肌の表面に振動を与えているに過ぎず、深部まで波動を伝えることができない。このため、肌の深部にある筋肉（例えば表情筋）に働きかけることができず、肌のリフトアップ効果を期待できない問題があった。また、上記超音波美容器は、肌に直接接触するため、表皮に過度の刺激を与えてしまい、肌を痛めてしまう問題もあった。
【０００６】
本発明は、このような実情を鑑みて提案されたものであり、肌に強い刺激を与えることなく、美容に効果的なマッサージを行うできるマッサージ装置を提供することを目的とする。
【課題を解決するための手段】
【０００７】
本発明に係るマッサージ装置は、筒状に形成された筒状筐体と、前記筒状筐体の２つの対面のうちの一方の対面側に設けられて入力される信号に基づいて前記２つの対面のうちの他方の対面に向けて所定周波数の振動を発生する振動発生部と、を有し、前記振動発生部により発生された低周波振動を前記他方の対面側にある人体の肌まで伝達させると共に、前記肌の５０Ｈｚ以下の振動により前記筒状筐体内の空気が振動するヘッド部と、前記筒状筐体内の空気圧を伝達する空気圧伝達部材と、前記空気圧伝達部材により伝達された空気圧に応じた信号を検出する信号検出部と、前記信号検出部により検出された信号を増幅して、増幅済みの信号を前記振動発生部へ出力することで正帰還ループを形成する信号増幅部と、前記筒状筐体の前記他方の対面側に着脱可能に設けられ、前記筒状筐体の前記他方の対面側に装着されたときに、前記ヘッド部と前記肌とが非接触の状態で、前記振動発生部により発生された低周波振動を前記肌に伝達するアタッチメント部材と、を備え、前記ヘッド部は、前記筒状筐体の前記振動発生部側に外気から遮断された内部空気室が形成されるように、前記筒状筐体の内部空間を２つに分割する分割部材を更に有する。
【発明の効果】
【００１０】
本発明は、肌に直接接触することなく、肌の共振に応じて肌の深部まで振動を与えることができるので、美容に効果的なマッサージを行うことができる。
【図面の簡単な説明】
【００１１】
【図１】自励振動式マッサージ装置の概略構成を示す図である。
【図２】アタッチメントの構成を示す図である。
【図３】マッサージヘッドの構成を示す断面図である。
【図４】自励振動回路の機能的な構成を示すブロック図である。
【図５】ＢＰＦの周波数特性を示す図である。
【図６】自励振動式マッサージ装置のマッサージ効果を説明する図である。
【図７】アタッチメントの他の形状を示す図である。
【発明を実施するための形態】
【００１２】
以下、本発明を実施するための形態について、図面を参照しながら説明する。
図１は、自励振動式マッサージ装置１の概略構成を示す図である。
【００１３】
自励振動式マッサージ装置１は、マッサージのための振動を発生するマッサージヘッド１０と、マッサージヘッド１０から出力された空気圧を伝達する第１のフィードバックドレインＤ１と、第１のフィードバックドレインＤ１からから伝達される空気圧を調整して出力する空気圧調整器３０と、を備えている。なお、マッサージヘッド１０の開放端側には、図２に示すように、肌に直接接するアタッチメント２０が装着される。
【００１４】
さらに、自励振動式マッサージ装置１は、空気圧調整器３０から出力された空気圧を伝達する第２のフィードバックドレインＤ２と、第２のフィードバックドレインＤ２から伝達される空気圧に基づいて波形信号を出力する自励振動回路４０と、自励振動回路４０に電源を供給する充電池５０と、自励振動回路４０から出力された波形信号に基づいてマッサージヘッド１０内部の空気を振動させるスピーカ６０と、を備えている。
【００１５】
図３は、マッサージヘッド１０の構成を示す断面図である。
マッサージヘッド１０は、円筒状に形成された円筒筐体１１と、円筒筐体１１の内部に形成されたシリコン防水膜１２と、円筒筐体１１の内側に設けられたＬＥＤ素子１３と、を備えている。
【００１６】
円筒筐体１１の２つの対面のうちの一方の対面には、円筒筐体１１の内部に向けて低周波振動を発生できるように、スピーカ６０が装着されている。
【００１７】
円筒筐体１１の内部（２つの対面の間）には、外気に含まれる水分・油分・ホコリ等からスピーカ６０保護するために、シリコン防水膜１２が形成されている。シリコン防水膜１２は、円筒筐体１１の内部空間を２つに分割している。但し、スピーカ６０が防水性の場合、シリコン防水膜１２は省略可能である。
【００１８】
このため、円筒筐体１１内のシリコン防水膜１２から開放端側の空間は、肌に低周波振動を伝達させる外気に接している。一方、円筒筐体１１内のスピーカ６０側の内部空間（スピーカ６０とシリコン防水膜１２との間の内部空間）は、外気からほぼ完全に遮断された内部空気室ＡＲになっている。また、円筒筐体１１には、この内部空気室ＡＲの空気圧を空気圧調整器３０へ伝達するための第１のフィードバックドレインＤ１が設けられている。
【００１９】
円筒筐体１１の開放端の内側には、１つ以上のＬＥＤ素子１３が設けられている。これにより、ＬＥＤ素子１３の光は、アタッチメントに密着する肌に照射される。
【００２０】
アタッチメントは、肌に対して主面又は裏面のいずれが対向する状態で、マッサージヘッド１０に装着される。狭いエリアの肌を強めにマッサージする場合は、アタッチメント２０の主面が肌に対向する。広いエリアの肌を弱めにマッサージする場合は、アタッチメント２０の裏面が肌に対向する。
【００２１】
図１に示すように、第１のフィードバックドレインＤ１は、マッサージヘッド１０から出力された空気圧を空気圧調整器３０に供給する。空気圧調整器３０は、長細い袋状（管状）の部材である。空気圧調整器３０は、第１のフィードバックドレインＤ１から供給された空気圧を一定レベルに調整してから、第２のフィードバックドレインＤ２を介して、出力する。
【００２２】
第１のフィードバックドレインＤ１は、空気圧調整器３０の長手方向の上流（入力）側に設けられている。但し、第２のフィードバックドレインＤ２は、空気圧調整器３０の長手方向の下流（出力）側ではなく、空気圧調整器３０の側面部に設けられている。さらに、空気圧調整器３０内には、乾燥剤が設けられている。
【００２３】
これにより、空気圧調整器３０に湿気を含んだ空気が供給された場合でも、空気に含まれた湿気（水分）が空気圧調整器３０の長手方向の下流部にたまり、乾燥剤によって湿気が除去される。このため、空気圧調整器３０からは、常に、湿気が除去された空気が出力される。そして、第２のフィードバックドレインＤ２は、空気圧調整器３０から出力された空気圧を自励振動回路４０に供給する。
【００２４】
図４は、自励振動回路４０の機能的な構成を示すブロック図である。自励振動回路４０は、振動波形検出器４１と、前置増幅器４２と、バンドパスフィルタ（ＢＰＦ）４３と、振動強度調整回路４４と、電力増幅器４５と、を備えている。
【００２５】
振動波形検出器４１は、例えば圧電素子等のセンサであり、第２のフィードバックドレインＤ２からの空気圧に応じて波形信号を検出する。前置増幅器４２は、波形信号検出器４１で検出された波形信号を増幅して出力する。
【００２６】
ＢＰＦ４３は、前置増幅器４２から出力された波形信号のうち所定帯域の信号を通過させる帯域制限フィルタである。
図５は、ＢＰＦ４３の周波数特性を示す図である。ＢＰＦ４３のＢＰＦの周波数特性は、マッサージ用の低域周波帯（例えば、８０Ｈｚから１２０Ｈｚ）の範囲内の信号のみ通過するものである。なお、ＢＰＦ４３の代わりに、ローパスフィルタ（ＬＰＦ）を使ってもよい。
【００２７】
振動強度調整回路４４は、ＢＰＦ４３から出力された波形信号の強度を調整する。電力増幅器４５は、振動強度調整回路４４から出力された波形信号の電力を増幅する。
【００２８】
スピーカ６０は、自励振動回路４０の電力増幅器４５から出力された信号に基づいて、１００Ｈｚ（±２０％）で最低共振周波数Ｆ０となる低周波振動を発生することで、マッサージヘッド１０の内部空気を振動（加振）させる。つまり、スピーカ６０は、低周波振動を発する。充電池７０は、充放電可能な電池であり、自励振動回路４０に電源を供給する。
【００２９】
以上のように構成された波長可変型光源システム１の自励振動回路４０は、正帰還一巡ループで構成されており、次のように動作する。
【００３０】
人体の肌にアタッチメントの端部が接触すると、肌が微小振動する。このとき、マッサージヘッド１０内の空気圧に変動が生じて、その空気圧の変動が図２に示すシリコン防水膜１２を介して、マッサージヘッド１０の内部空気室ＡＲに伝達される。内部空気室ＡＲの空気圧の変動は、図１に示す第１のフィードバックドレインＤ１、空気圧調整器３０、第２のフィードバックドレインＤ２を経由して、図３に示す自励振動回路４０の振動波形検出器４１に伝達される。
なお、シリコン防水膜１２が設けられていない場合でも、肌が微小振動すると、その空気圧の変動は、第１のフィードバックドレインＤ１、空気圧調整器３０等を経由して、自励振動回路４０の振動波形検出器４１に伝達される。
【００３１】
振動波形検出器４１は、空気圧調整器３０から伝達された空気圧の変動に応じた振動波形を検出する。前置増幅器４２は、振動波形検出器４１により検出された振動波形を増幅する。
【００３２】
ＢＰＦ４３は、前置増幅器４２により増幅された振動波形に対して、図５に示すフィルタリング処理を行って、所定帯域の振動波形を出力する。振動強度調整回路４４は、ＢＰＦ４３からの振動波形を予め設定された強度になるように調整する。電力増幅器４５は、振動強度調整回路４４で調整された振動波形の電力を増幅して、スピーカ６０へ出力する。
【００３３】
スピーカ６０は、電力増幅器４５からの信号に基づいて、低周波振動を発生する。スピーカ６０で発生された低周波振動は、内部空気室ＡＲ、シリコン防水膜１２を介して、円筒筐体１１及びアタッチメント内の空気を伝播して、人体の肌に到達する。したがって、マッサージヘッド１０は、肌に直接接触することなく、アタッチメント内の空気を介して、低周波振動を肌に与える。
【００３４】
そして、人体の肌は、スピーカ６０からの低周波振動が与えられると所定の周波数（５０Ｈｚ以下）で共振する。共振した低周波振動は、アタッチメント及び円筒筐体１１内の空気を伝播して、シリコン防水膜１２を介して、内部空気室ＡＲに到達する。この結果、内部空気室ＡＲ内の空気も共振する。内部空気室ＡＲ内の共振の影響を受けた空気圧は、第１のフィードバックドレインＤ１等を介して、再び振動波形検出器４１に伝達される。
【００３５】
このようにして、肌の振動による空気圧の変動が振動波形検出器４１により検出されると、その検出結果に基づいてスピーカ６０が肌を振動させることになり、自動発振が行われる。つまり、この正帰還一巡ループによって、自励振動の共振周波数により肌は自励振動する。
【００３６】
なお、自励振動の共振周波数は、人体部位により異なり、腹部や胸部（女性）では数Ｈｚ、手足の部位では数十Ｈｚ、肩こり等の局部では百数十Ｈｚである。
【００３７】
図６は、自励振動式マッサージ装置１のマッサージ効果を説明する図である。
従来の超音波美顔器は、肌に駆動部分を直接当てて、表皮（肌の表面に近い部分）のみ高速振動でタッピング（軽くたたく作業）する。このため、真皮や皮下組織までマッサージの振動が届かず、十分なマッサージ効果を得られなかった。
【００３８】
また、従来の低周波治療器は、微弱な電気（５０Ｈｚ〜１００Ｈｚの低周波）を人体に通し、その刺激で筋肉を直接マッサージする。しかし、肌に直接電気的な刺激を与えるために、肌にピリピリした痛みを感じることがある。特に、ヤーマンの垂直振動美顔器は、接触子で３０Ｈｚの固定周波数で人体の肌を叩くので、皮下の毛細血管を痛めてしまう問題がある。
【００３９】
これに対して、本実施形態に係る自励振動式マッサージ装置１は、スピーカ６０により例えば８０Ｈｚから１２０Ｈｚの範囲内で低周波振動を発生して、肌に直接あたるアタッチメントで密閉された空間において低周波振動を伝播させることで、アタッチメント２０が接している周辺の肌を中心に肌全体を５０Ｈｚ以下で共振させる。この共振振動は、真皮や皮下組織を伝播し、ＳＭＡＳ筋膜や深層表情筋まで到達する。
【００４０】
したがって、自励振動式マッサージ装置１は、人体の肌に接触することなく、表皮に限らず、深層表情筋まで効果的なマッサージをすることができる。また、自励振動式マッサージ装置１は、人体の肌に電気的な刺激を加えないため、ぴりぴりした痛みを感じさせることがない。さらに、自励振動式マッサージ装置１は、肌の部位に適した共振周波数を自動的に検出して、空気圧の低周波振動で当該部位をマッサージするので、毛細血管を傷めることなく、当該部位に効果的なマッサージを行うことができる。
【００４１】
以上のように、自励振動式マッサージ装置１は、肌に直接接触することなく、肌の共振に応じて肌の深部まで振動を与えることができるので、美容に効果的なマッサージを行うことができる。
【００４２】
なお、本発明は、上述した実施形態に限定されるものではなく、特許請求の範囲に記載された事項の範囲内で設計変更されたものにも適用される。例えば、アタッチメント２０は、図２に示す形状に限定されるものではなく、例えば次のような形状であってもよい。
【００４３】
図７は、図２と異なる形状のアタッチメント２０ａを示す図である。アタッチメント２０ａの開口部（肌に密着する部分）は、目の下側のくぼみ部分の形状に合わせた形状になっている。このため、アタッチメント２０ａは、目の下のマッサージのときに使用される。
【００４４】
目の下のくぼみ部分は、皮膚が薄く、非常にデリケートな部分である。このため、従来のマッサージ器は、目の下のくぼみ部分を擦ったり、直接接触したりして、マッサージすることができなかった。これに対して、自励振動式マッサージ装置１は、目の下のくぼみ部分に接触することなく、目の下のくぼみ部分の共振周波数で低周波振動を付与することで、目の下のくぼみ部分に適したマッサージをすることができる。
【符号の説明】
【００４５】
１  自励振動式マッサージ装置
１０  マッサージヘッド
２０  アタッチメント
３０  空気圧調整器
４０  自励振動回路
４１  振動波形検出器
４２  前置増幅器
４３  ＢＰＦ
４４  振動強度調整回路
４５  電力増幅器
５０  充電池
６０  スピーカ
ＡＲ  内部空気室
【図１】
0006476372.tif 000002
【図２】
0006476372.tif 000003
【図３】
0006476372.tif 000004
【図４】
0006476372.tif 000005
【図５】
0006476372.tif 000006
【図６】
0006476372.tif 000007
【図７】
0006476372.tif 000008